(57)【要約】【課題】低外気温時にも円滑に圧縮機を起動することのできる冷凍装置を提供する。【解決手段】可変容量圧縮機（１４１）のガードタイマが終了すると、室外ユニットの制御部（１４０）からのＲ２信号がオンされる（動作I）。冷凍ユニットの制御部（１２０）では、Ｒ２信号がオンされており、温度センサ（１２４）で検知された庫内温度に基づき冷凍サーモオン要求が生じていると判断されれば（動作II）、冷凍冷凍電磁弁（１２１）が開口される（動作III）。通常、この冷凍電磁弁（１２１）を開口した際に、吸入冷媒圧力の上昇が圧力センサ（１４６）により検知されて可変容量圧縮機（１４１）が起動されることとなるが、外気温が低いときには、吸入冷媒圧力は所定値より低いままである。そこで、制御部（１２０）は、ブースタ圧縮機（１３１）を起動し（動作IV）、可変容量圧縮機（１４１）の吸入冷媒圧力を上昇させる。【選択図】図３
2006105580.tif 000002
【特許請求の範囲】
【請求項１】
高温側圧縮機（１４１）を有する熱源回路と、上記熱源回路に接続され、蒸発器（１２３）及び低温側圧縮機（１３１）を有する利用回路とを備え、蒸気圧縮式冷凍サイクルを行う冷凍装置（１）であって、
上記高温側圧縮機（１４１）の運転及び運転休止を、吸入冷媒圧力に基づいて切り替える運転制御手段と、
上記高温側圧縮機（１４１）の運転休止時に、上記蒸発器（１２３）での冷却要求に関する条件を含む所定条件が満たされた際、上記高温側圧縮機（１４１）の吸入冷媒圧力が上昇するように低温側圧縮機（１３１）を起動させる起動制御手段とを備えた
ことを特徴とする冷凍装置。
【請求項２】
蒸気圧縮式冷凍サイクルを行う冷凍装置（２）であって、
圧縮機（２４１）の運転及び運転休止を、吸入冷媒圧力に基づいて切り替える運転制御手段と、
上記圧縮機（２４１）の運転休止時に、外気温が所定温度より低下していた際、上記圧縮機（２４１）の運転を開始するか否かを判定するための吸入冷媒圧力の基準値を低下させる基準値変更手段とを備えた
ことを特徴とする冷凍装置。
【請求項３】
請求項２に記載の冷凍装置（２）において、
上記基準値変更手段は、所定温度に対する外気温の低下量の大きさに従って、上記基準値を複数段階で低下させるように構成されている
ことを特徴とする冷凍装置。
【請求項４】
蒸気圧縮式冷凍サイクルを行う冷凍装置（３）であって、
圧縮機（３４１）の運転及び運転休止を、吸入冷媒圧力に基づいて切り替える運転制御手段と、
上記圧縮機（３４１）の運転休止時に、外気温が所定温度より低下しており、かつ、蒸発器（３１３）での冷却要求に関する条件が満たされた際、上記吸入冷媒圧力が上昇するように圧縮機（３４１）のモータに欠相通電を行う通電制御手段とを備えた
ことを特徴とする冷凍装置。
【発明の詳細な説明】
【技術分野】
【０００１】
本発明は、冷凍装置に関し、特に、外気温が低い際の圧縮機の起動動作を改良する技術に関するものである。
【背景技術】
【０００２】
従来より、コンビニエンスストアなどの商店では、冷蔵ショーケース内で商品を陳列しつつ冷蔵する冷蔵ユニット及び冷凍ショーケース内で商品を陳列しつつ冷凍する冷凍ユニットが、１つの冷媒回路に接続されて構成された冷凍装置が用いられている。
【０００３】
図１５は従来用いられている冷凍装置（５）での動作の概略を説明するための冷媒回路図である。
【０００４】
冷凍装置（５）では、室外に設置される室外ユニット（５４）内の圧縮機（５４１）で圧縮された冷媒が凝縮器（５４２）で放熱しつつ凝縮する。この凝縮した液冷媒は、冷蔵ユニット（５１）に流入するものと、冷凍ユニット（５２）に流入するものとに分岐する。冷蔵ユニット（５１）に流入した冷媒は、膨張弁（５１２）で減圧されて、冷蔵蒸発器（５１３）で庫内空気から吸熱しつつ蒸発する。また、冷凍ユニット（５２）に流入した冷媒は、膨張弁（５２２）で減圧されて、冷凍蒸発器（５２３）で庫内空気から吸熱しつつ蒸発する。
【０００５】
冷凍蒸発器（５２３）での冷媒の飽和圧力は、ブースタユニット（５３）内のブースタ圧縮機（５３１）によって冷蔵蒸発器（５１３）よりも低く保たれている。また、冷凍蒸発器（５２３）の蒸発温度（−５℃前後）は、冷蔵蒸発器（５１３）の蒸発温度（５℃前後）よりも低く維持されている。
【０００６】
これらの冷却が継続されて、冷蔵ユニット（５１）又は冷凍ユニット（５２）で、庫内空気の温度が、それぞれ、あらかじめ設定された目標温度に達すると、電磁弁（５１１）、電磁弁（５２１）が閉じられる。これにより、蒸発器（５１３）、蒸発器（５２３）への冷媒の供給が遮断されることとなる（それぞれ冷蔵サーモオフ状態、冷凍サーモオフ状態という）。
【０００７】
一方、制御部（５４０）（マイクロプロセッサ、ＲＯＭ、ＲＡＭ等を含み所定のプログラムを実行する）では、圧縮機（５４１）の吸入側の冷媒圧力が圧力センサ（５４６）で検知されており、その値が所定値（例えば０．１０ＭＰａ）以下になると、圧縮機（５４１）を一時停止させる（室外サーモオフ状態）よう制御される。
【０００８】
逆に、室外サーモオフ状態のとき、冷蔵ユニット（５１）又は冷凍ユニット（５２）で、庫内空気温度とその目標温度との間で所定の大きさの温度差が生ずると、電磁弁（５１１）、電磁弁（５２１）がそれぞれ開口され、蒸発器（５１３）、蒸発器（５２３）への冷媒の供給が要求される（それぞれ冷蔵サーモオン状態、冷凍サーモオン状態）。一方、制御部（５４０）では、吸入冷媒圧力が所定値（例えば０．２５ＭＰａ）以上に上昇したことが圧力センサ（５４６）によって検知され、圧縮機（５４１）を起動させるよう制御される（室外サーモオン状態）こととなる。
【０００９】
このように、冷凍装置（５）では、蒸発器（５１３，５２３）のいずれかに冷媒を循環させて圧縮機（５４１）の運転を継続する必要があるか否かを、圧力センサ（５４６）によって検知することができる。そのため、冷蔵ユニット（５１）又は冷凍ユニット（５２）で冷却の必要があるか否かを示す信号を制御部（５４０）に伝送することなく、簡素な構成で簡便に、圧縮機（５４１）の運転及び運転休止を切り替えるよう制御されている。
【００１０】
また、例えば特許文献１に記載の冷凍装置は、これに類似するものとして、湿り運転を避けるために、吸入冷媒圧力が所定値以下のときに、圧縮機を停止させる制御を行うものである。
【特許文献１】特開２００２−２２８２９７号公報
【発明の開示】
【発明が解決しようとする課題】
【００１１】
上記冷凍装置（５）では、上述のように、室外サーモオフ状態から室外サーモオン状態に移行する際、吸入冷媒圧力が所定値より低いとき、圧縮機を起動させないように制御される。ところが、例えば外気温が−５℃以下と著しく低い場合、冷媒の飽和圧力が低下して回路中の冷媒圧力が低下してしまう。この結果、冷凍ユニット（５２）等が冷却を要求して電磁弁（５１３，５２３）が開かれたとしても、吸入側の冷媒圧力が低下したまま、圧縮機（５４１）が起動しないことがある。
【００１２】
本発明は、これらを考慮してなされたものであり、その目的は、低外気温時にも円滑に圧縮機を起動することのできる冷凍装置を提供することである。
【課題を解決するための手段】
【００１３】
第１の発明に係る冷凍装置（１）は、高温側圧縮機（１４１）を有する熱源回路と、上記熱源回路に接続され、蒸発器（１２３）及び低温側圧縮機（１３１）を有する利用回路とを備え、蒸気圧縮式冷凍サイクルを行う冷凍装置を前提としている。そして、本発明は、上記高温側圧縮機（１４１）の運転及び運転休止を、吸入冷媒圧力に基づいて切り替える運転制御手段と、上記高温側圧縮機（１４１）の運転休止時に、上記蒸発器（１２３）での冷却要求に関する条件を含む所定条件が満たされた際、上記高温側圧縮機（１４１）の吸入冷媒圧力が上昇するように低温側圧縮機（１３１）を起動させる起動制御手段とを備えたことを特徴としている。
【００１４】
本冷凍装置では、高温側圧縮機（１４１）の運転及び運転休止が吸入冷媒圧力に基づいて切り替えられる。ここで、上記高温側圧縮機（１４１）の運転休止時から運転が再開される際、上記蒸発器（１２３）での冷却要求に関する条件を含む所定の条件が満たされると、上記高温側圧縮機（１４１）の吸入冷媒圧力が上昇するように低温側圧縮機（１３１）が起動される。
【００１５】
第２の発明に係る冷凍装置（２）は、蒸気圧縮式冷凍サイクルを行う冷凍装置を前提としている。そして、本発明は、圧縮機（２４１）の運転及び運転休止を、吸入冷媒圧力に基づいて切り替える運転制御手段と、上記圧縮機（２４１）の運転休止時に、外気温が所定温度より低下していた際、上記圧縮機（２４１）の運転を開始するか否かを判定するための吸入冷媒圧力の基準値を低下させる基準値変更手段とを備えたことを特徴としている。また、第３の発明に係る冷凍装置（２）は、この第２の発明に係る冷凍装置（２）において、上記基準値変更手段が、所定温度に対する外気温の低下量の大きさに従って、上記基準値を複数段階で低下させるように構成されている。
【００１６】
第２の発明に係る冷凍装置（２）では、圧縮機（２４１）の運転及び運転休止が吸入冷媒圧力に基づいて切り替えられる。ここで、上記圧縮機（２４１）の運転休止時から運転が再開される際、外気温が所定温度より低下していると、この圧縮機（２４１）の運転を開始するか否かを判定するための吸入冷媒圧力の基準値が低下される。また、この基準値は、第３の発明に係る冷凍装置（２）では、外気温の低下量の大きさに従って複数段階で低下される。
【００１７】
第４の発明に係る冷凍装置（３）は、蒸気圧縮式冷凍サイクルを行う冷凍装置を前提としている。そして、本発明は、圧縮機（３４１）の運転及び運転休止を吸入冷媒圧力に基づいて切り替える運転制御手段と、上記圧縮機（３４１）の運転休止時に、外気温が所定温度より低下しており、かつ、蒸発器（３１３）での冷却要求に関する条件が満たされた際、上記吸入冷媒圧力が上昇するように圧縮機（３４１）のモータに欠相通電を行う通電制御手段とを備えたことを特徴としている。
【００１８】
本冷凍装置（３）では、圧縮機（３４１）の運転及び運転休止が吸入冷媒圧力に基づいて切り替えられる。ここで、上記圧縮機（３４１）の運転休止時から運転が再開される際、外気温が所定温度より低下し、かつ、蒸発器（３１３）での冷却要求に関する条件が満たされると、上記吸入冷媒圧力が上昇するように圧縮機（３４１）を駆動するモータが欠相通電される。
【発明の効果】
【００１９】
上記第１の発明に係る冷凍装置（１）によれば、高温側圧縮機（１４１）の運転が再開される際、蒸発器（１２３）での冷却要求に関する条件を含む所定の条件が満たされると、高温側圧縮機（１４１）の吸入冷媒圧力が上昇するように該高温側圧縮機（１４１）に先立って低温側圧縮機（１３１）を起動させるようにした。これにより、外気温が著しく低い場合であっても、高温側圧縮機（１４１）の吸入冷媒圧力が確実に上昇するので、円滑に円滑に高温側圧縮機（１４１）を起動させることができる。
【００２０】
上記第２の発明に係る冷凍装置（２）よれば、圧縮機（２４１）の運転が再開される際、外気温が所定温度より低下していると、圧縮機（２４１）の運転を開始するか否かの基準となる吸入冷媒圧力の値を低下させるようにした。これにより、低外気温時に回路中の冷媒の圧力が低下していても円滑に圧縮機（２４１）を起動させることができる。
【００２１】
また、上記第３の発明に係る冷凍装置（２）によれば、吸入冷媒圧力の基準値を外気温の低さに応じて適切な分だけ低下させるようにしたため、外気温の低下に伴なう吸入冷媒圧力の低下を的確に検知してそれに応じた圧縮機の起動を円滑に行うことができる。
【００２２】
上記第４の発明に係る冷凍装置（３）によれば、圧縮機（３４１）の運転が再開される際、蒸発器（３１３）での冷却要求に関する条件が満たされると、圧縮機（３４１）のモータを欠相通電するようにした。これにより、外気温が著しく低下しても、吸入冷媒が加温されてその圧力が上昇するため、円滑に圧縮機（３４１）を起動させることができる。
【発明を実施するための最良の形態】
【００２３】
以下、本発明の実施の形態である冷凍装置（１，２，３）につき、図面を用いて詳細に説明する。
【００２４】
図１は本発明の第１の実施形態である冷凍装置（１）の概略構成を示す図である。
【００２５】
コンビニエンスストアなどに設置される冷凍装置（１）は、図１に示すように、冷蔵ユニット（１１）と、冷凍ユニット（１２）と、ブースタユニット（１３）と、室外ユニット（１４）とを備えている。
【００２６】
冷蔵ユニット（１１）は、商品が冷蔵されつつ陳列される冷蔵ショーケースを有し、冷凍ユニット（１２）は、商品が冷凍されつつ陳列される冷凍ショーケースを有している。ブースタユニット（１３）は、冷凍のため冷媒の圧力を低く保っている。室外ユニット（１４）は、屋外に設置されて冷媒から外気への放熱が行われる。そして、室外ユニット（１４）に対し、冷蔵ユニット（１１）と、冷凍ユニット（１２）及びブースタユニット（１３）とが並列に接続されて、二段蒸気圧縮式冷凍サイクルを行う１つの冷媒回路を構成している。
【００２７】
冷蔵ユニット（１１）は、冷媒を減圧させる感温式膨張弁（１１２）と、冷媒が庫内空気から吸熱して蒸発する冷蔵蒸発器（１１３）とが配管接続されている。また、冷蔵ユニット（１１）は、冷蔵蒸発器（１１３）で吸熱されて冷却された庫内空気を冷蔵ショーケース内の陳列棚に向けて送り出すファン（１１５）を備えている。さらに、冷蔵ユニット（１１）には、開口時に冷蔵蒸発器（１１３）へ向かう冷媒を通過させ、閉口時に冷蔵蒸発器（１１３）へ向かう冷媒の流れを遮断する冷蔵電磁弁（１１１）と、庫内空気の温度を検知する温度センサ（１１４）とが設けられている。
【００２８】
冷蔵電磁弁（１１１）、感温式膨張弁（１１２）及び冷蔵蒸発器（１１３）は、冷蔵ユニット（１１）の流入側配管（２０１）から流出側配管（２０２）に向けて順に直列に接続されている。
【００２９】
冷凍ユニット（１２）は、同様に、冷媒を減圧させる感温式膨張弁（１２２）と、冷媒が庫内空気から吸熱して蒸発する冷凍蒸発器（１２３）とが配管接続されている。また、冷凍ユニット（１２）は、冷凍蒸発器（１２３）で吸熱されて冷却された庫内空気を冷凍ショーケース内の陳列棚に向けて送り出すファン（１２５）を備えている。さらに、冷凍ユニット（１２）には、開口時に冷凍蒸発器（１２３）へ向かう冷媒を通過させ、閉口時に冷凍蒸発器（１２３）へ向かう冷媒の流れを遮断する冷凍電磁弁（１２１）と、庫内空気の温度を検知する温度センサ（１２４）とが設けられている。
【００３０】
冷凍電磁弁（１２１）、感温式膨張弁（１２２）及び冷凍蒸発器（１２３）は、冷凍ユニット（１２）の流入側配管（２０３）から流出側配管（２０４）に向けて順に直列に接続されている。
【００３１】
ブースタユニット（１３）は、ブースタ圧縮機（１３１）を備えている。このブースタ圧縮機（１３１）は、冷凍蒸発器（１２３）を通る冷媒の圧力を冷蔵蒸発器（１１３）を通る冷媒の圧力よりも低く保っている。
【００３２】
また、ブースタユニット（１３）は、途中に逆止弁（１３３）を有するブースタ圧縮機（１３１）のバイパス通路（１３２）を備えている。このバイパス通路（１３２）は、ブースタ圧縮機（１３１）の故障時又は停止時に、冷媒がブースタ圧縮機（１３１）をバイパスして室外ユニット（１４）側へ向かって流通可能に構成されている。つまり、ブースタ圧縮機（１３１）の駆動時には、冷媒はバイパス通路（１３２）を流れない。逆止弁（１３３）は、ブースタユニット（１３）の流入側配管（２０５）側から流出側配管（２０６）側へ向かう冷媒流れのみを許容する。
【００３３】
室外ユニット（１４）は、可変容量圧縮機（１４１）と、凝縮器（１４２）と、受液器（１４３）とを備えている。可変容量圧縮機（１４１）は、冷蔵ユニット（１１）等の冷却負荷に応じて容量が調整可能に構成されている。凝縮器（１４２）は、冷媒が外気へ放熱して凝縮するように構成されている。受液器（１４３）は、凝縮器（１４２）で凝縮した液冷媒を一時的に蓄えるためのものである。つまり、この冷凍装置（１）では、可変容量圧縮機（１４１）が高温側圧縮機を、ブースタ圧縮機（１３１）が低温側圧縮機をそれぞれ構成している。
【００３４】
また、室外ユニット（１４）には、外気を凝縮器（１４２）へ取り込むためのファン（１４４）が設けられている。さらに、室外ユニット（１４）には、外気温を検知するための温度センサ（１４５）と、可変容量圧縮機（１４１）に吸入される冷媒の圧力を検知するための圧力センサ（１４６）とが設けられている。
【００３５】
可変容量圧縮機（１４１）、凝縮器（１４２）及び受液器（１４３）は、室外ユニット（１４）の流入側配管（２０７）から流出側配管（２０８）に向けて順に直列に接続されている。
【００３６】
室外ユニット（１４）の流入側配管（２０７）には、ブースタユニット（１３）の流出側配管（２０６）と冷蔵ユニット（１１）の流出側配管（２０２）とが接続されている。室外ユニット（１４）の流出側配管（２０８）には、冷蔵ユニット（１１）の流入側配管（２０１）と冷凍ユニット（１２）の流入側配管（２０３）とが接続されている。冷凍ユニット（１２）の流出側配管（２０４）は、ブースタユニット（１３）の流入側配管（２０５）に接続されている。
【００３７】
また、室外ユニット（１４）には、制御部（１４０）が設けられている。この制御部（１４０）は、各蒸発器（１１３，１２３）内の冷媒の圧力が一定に保たれるように可変容量圧縮機（１４１）を容量制御する。特に本発明に関わる制御部（１４０）による制御については、後に図４〜図８を用いて詳述する。
【００３８】
この冷凍装置（１）は図２、図３に示すように動作する。図２は冷凍装置（１）の通常時の動作を示す図であり、図３は本発明の特徴とする冷凍装置（１）の低外気温時の冷凍サーモオンに関わる動作を示す図である。
【００３９】
図２に示すように、可変容量圧縮機（１４１）が駆動する室外サーモオン状態では、各電磁弁（１１１，１２１）が開口されて、冷蔵ユニット（１１）が冷蔵サーモオン状態となり、冷凍ユニット（１２）が冷凍サーモオン状態となる。具体的に、可変容量圧縮機（１４１）が駆動すると、圧縮された冷媒が凝縮器（１４２）で放熱しつつ凝縮する。凝縮した液冷媒は、受液器（１４３）を通って、冷蔵ユニット（１１）に流入するものと、冷凍ユニット（１２）に流入するものとに分岐する。
【００４０】
冷蔵ユニット（１１）では、膨張弁（１１２）で減圧された冷媒が冷蔵蒸発器（１１３）で吸熱しつつ蒸発し、冷蔵ショーケースの庫内空気が冷却される。冷凍ユニット（１２）では、膨張弁（１２２）で減圧された冷媒が冷凍蒸発器（１２３）で吸熱しつつ蒸発し、冷凍ショーケースの庫内空気が冷却される。冷凍ユニット（１２）から流出した冷媒は、ブースタ圧縮機（１３１）で圧縮される。圧縮後の冷媒は、冷蔵ユニット（１１）から流出した冷媒と合流して室外ユニット（１４）の可変容量圧縮機（１４１）に吸入され、これらの冷媒の循環が繰り返される。
【００４１】
冷蔵ショーケース内の庫内空気の温度が予め設定された目標温度になると、冷蔵電磁弁（１１１）が閉じられ、冷蔵蒸発器（１１３）への冷媒流れが遮断される（冷蔵サーモオフ状態）。同様に、冷凍ショーケース内の庫内空気の温度が予め設定された目標温度になると、冷凍電磁弁（１２１）が閉じられると共にブースタ圧縮機（１３１）が停止され、冷凍蒸発器（１２３）への冷媒流れが遮断される（冷凍サーモオフ状態）。冷蔵サーモオフ状態でかつ冷凍サーモオフ状態になると、可変容量圧縮機（１４１）の吸入冷媒圧力が低下する。この吸入冷媒圧力の低下が検知されると、可変容量圧縮機（１４１）が停止されて室外サーモオフ状態となる。
【００４２】
外気温が−５℃より高い通常の場合、冷蔵サーモオン／オフが冷蔵ユニット（１１）の制御部（１１０）によって、冷凍サーモオン／オフが冷凍ユニット（１２）の制御部（１２０）によってそれぞれ自動的に切り替えられる。そして、これらの冷蔵サーモオン／オフ、冷凍サーモオン／オフの状態に基づいて、室外サーモオン／オフが室外ユニット（１４）の制御部（１４０）によって自動的に切り替えられる。なお、制御部（１１０）及び制御部（１２０）についは、図４等に基づいて後述する。
【００４３】
外気温が−５℃以下と著しく低い場合、冷凍ユニット（１２）の庫内温度と目標温度との差が所定値より大きくなって冷凍サーモオン要求が生じ、冷凍電磁弁（１２１）が開口しても、可変容量圧縮機（１４１）の吸入冷媒圧力は殆ど上昇しない。ところが、本発明に係る冷凍装置（１）は、図３に示すように、特有の制御として、可変容量圧縮機（１４１）の吸入冷媒圧力が上昇するように可変容量圧縮機（１４１）に先立って強制的にブースタ圧縮機（１３１）を起動させるものである。
【００４４】
すなわち、可変容量圧縮機（１４１）のガードタイマが終了すると、室外ユニット（１４）の制御部（１４０）から冷凍ユニット（１２）の制御部（１２０）へ伝送されるＲ２信号がオンされる（動作I）。そして、冷凍ユニット（１２）の制御部（１２０）では、温度センサ（１２４）で検知された庫内温度の値に基づき冷凍サーモオン要求が生じていると判断されれば（動作II）、冷凍電磁弁（１２１）が開口される（動作III）。
【００４５】
なお、可変容量圧縮機（１４１）のガードタイマとは、短時間内の発停の繰り返しにより圧縮機が損傷することを防止するため、圧縮機の停止時から１，２分程度で終了するタイマである。
【００４６】
通常の場合、この冷凍電磁弁（１２１）が開口されると、可変容量圧縮機（１４１）の吐出側の冷媒がブースタ圧縮機（１３１）のバイパス通路（１３２）を通じて可変容量圧縮機（１４１）の吸入側へ流通可能になるため、吸入冷媒圧力が上昇する。そして、この吸入冷媒圧力の上昇が圧力センサ（１４６）によって検知されると、可変容量圧縮機（１４１）が起動される。ところが、外気温が著しく低いと、可変容量圧縮機（１４１）の吸入冷媒圧力は所定値より低いままである。そこで、冷凍ユニット（１２）の制御部（１２０）は、ブースタ圧縮機（１３１）を強制的に起動し（動作IV）、可変容量圧縮機（１４１）の吸入冷媒圧力を上昇させる。
【００４７】
この吸入冷媒圧力の上昇が圧力センサ（１４６）により検知されると（動作V）、これに基づいて可変容量圧縮機（１４１）が起動されることとなる（動作VI）。
【００４８】
これらの冷凍装置（１）での制御につき、以下、図４〜図８を用いてその詳細を説明する。
【００４９】
図４は、室外ユニット（１４）の制御部（１４０）で実行される室外サーモオン制御プログラムの主要部の構成、並びに、その制御部（１４０）と冷蔵ユニット（１１）の制御部（１１０）及び冷凍ユニット（１２）の制御部（１２０）との入出力関係を模式的に示すブロック図である。
【００５０】
室外ユニット（１４）の制御部（１４０）では、図５に示すサーモオン制御プログラムが実行される。冷蔵ユニット（１１）の制御部（１１０）では、図６に示す冷蔵電磁弁開閉制御プログラムが実行される。冷凍ユニット（１２）の制御部（１２０）では、図７及び図８にそれぞれ示す、冷凍電磁弁開閉制御プログラム及びブースタ圧縮機発停制御プログラムが実行される。各制御部（１１０，１２０，１４０）での処理は並行して実行される。
【００５１】
室外ユニット（１４）の制御部（１４０）は、図４に示すように、電磁弁開閉許可部（１４０１）と、圧縮機起動条件判定部（１４０２）と、圧縮機起動部（１４０３）と有している。
【００５２】
電磁弁開閉許可部（１４０１）は、可変容量圧縮機（１４１）のガードタイマが終了すると、各電磁弁（１１１，１２１）の開口とブースタ圧縮機（１３１）の起動とを許可するためのＲ１信号及びＲ２信号をオンするように構成されている。圧縮機起動条件判定部（１４０２）は、圧力センサ（１４６）で検知される吸入冷媒圧力ＬＰや、温度センサ（１４５）で検知される外気温Ｔａなどがそれぞれ所定範囲の値であるか否かを判定するように構成されている。圧縮機起動部（１４０３）は、吸入冷媒圧力ＬＰや外気温Ｔａなどがそれぞれ所定範囲の値である場合、可変容量圧縮機（１４１）を起動させるように構成されている。
【００５３】
冷蔵ユニット（１１）の制御部（１１０）は、冷却要求判定部（１１０２）及び電磁弁開閉部（１１０２）を有している。
【００５４】
冷却要求判定部（１１０２）は、温度センサ（１１４）で検知された庫内温度と予め設定された目標温度との差が所定値以上か否か（冷蔵サーモオン要求があったか否か）を判定する。さらに、冷却要求判定部（１１０２）は、Ｒ１信号がオンされているか否かを判定する。電磁弁開閉部（１１０２）は、冷蔵サーモオン要求があり且つＲ１信号がオンされていると、冷蔵電磁弁（１１１）を開口するように構成されている。
【００５５】
冷凍ユニット（１２）の制御部（１２０）は、冷却要求判定部（１２０１）と、電磁弁開閉部（１２０２）と、ブースタ圧縮機発停部（１２０３）とを有している。
【００５６】
冷却要求判定部（１２０１）は、温度センサ（１２４）で検知された庫内温度と目標温度との差が所定値以上か否か（冷凍サーモオン要求があったか否か）を判定する。さらに、冷却要求判定部（１２０１）は、Ｒ２信号がオンされているか否かを判定する。電磁弁開閉部（１２０２）は、冷凍サーモオン要求があり且つＲ２信号がオンされていると、冷凍電磁弁（１２１）を開口するように構成されている。ブースタ圧縮機発停部（１２０３）は、冷凍サーモオン要求があり且つＲ２信号がオンされると、ブースタ圧縮機（１３１）を起動するように構成されている。
【００５７】
ここでは、主として、圧縮機起動条件判定部（１４０２）及び圧縮機起動部（１４０３）が可変容量圧縮機（１４１）の運転（サーモオン）と一時停止（サーモオフ）とを切り替える運転制御手段を構成している。また、冷却要求判定部（１２０１）、電磁弁開閉部（１２０２）及びブースタ圧縮機発停部（１２０３）は、可変容量圧縮機（１４１）の停止時に、冷凍ユニット（１２）の冷却要求があり、且つ、可変容量圧縮機（１４１）のガードタイマの終了などの所定の条件が満たされると、ブースタ圧縮機（１３１）を起動させる起動制御手段を構成している。
【００５８】
したがって、各制御部（１１０，１２０，１４０）で実行されるプログラムによれば、外気温が低いために可変容量圧縮機（１４１）の吸入冷媒圧力が（局所的に）低下している状況においても、ブースタ圧縮機（１３１）の起動によって可変容量圧縮機（１４１）の吸入冷媒圧力を強制的に上昇させることができる。具体的には、次に示す処理手順が実行される。
【００５９】
図５に示すように、室外ユニット（１４）の制御部（１４０）によるサーモオン制御では、まず、可変容量圧縮機（１４１）のガードタイマが終了したか否かが判定される（ステップ１１１、以下ステップをＳＴとする）。ガードタイマが終了していなければ（ＳＴ１１１にてＮＯ）、本処理はそのまま終了する。また、ガードタイマが終了していれば（ＳＴ１１１にてＹＥＳ）、冷蔵電磁弁（１１１）の開口を許可するＲ１信号、冷凍電磁弁（１２１）の開口とブースタ圧縮機（１３１）の起動とを許可するＲ２信号がオンされる（ＳＴ１１２）。
【００６０】
続いて、可変容量圧縮機（１４１）の吸入冷媒圧力ＬＰが０．２５ＭＰａより大きいか否かが判断され（ＳＴ１１３）、吸入冷媒圧力ＬＰが０．２５ＭＰａより大きければ（ＳＴ１１３にてＹＥＳ）、可変容量圧縮機（１４１）が起動されて（ＳＴ１１４）、本処理は終了する。
【００６１】
吸入冷媒圧力ＬＰが０．２５ＭＰａ以下であれば（ＳＴ１１３にてＮＯ）、温度センサ（１４５）で検知された外気温Ｔａが−５℃より低くかつ可変容量圧縮機（１４１）の停止時間が１０分以上であるか否かが判断される（ＳＴ１１５）。この条件が満たされれば（ＳＴ１１５にてＹＥＳ）、ＳＴ１１４にて可変容量圧縮機（１４１）が強制的に起動されることとなる。外気温Ｔａが−５℃以上であるか、又は、可変容量圧縮機（１４１）の停止時間が１０分未満であれば（ＳＴ１１５にてＮＯ）、本処理は終了する。
【００６２】
これらの処理によって、吸入冷媒圧力ＬＰが低く可変容量圧縮機（１４１）を起動することができないときでも、ガードタイマが終了すると、Ｒ１信号及びＲ２信号がオンされて、各制御部（１１０，１２０）に対して電磁弁（１１１，１２１）の開口及びブースタ圧縮機（１３１）の起動が許可されることとなる。
【００６３】
図６に示すように、冷蔵ユニット（１１）の制御部（１１０）による冷蔵電磁弁開閉制御では、まず、温度センサ（１１４）で検知された庫内温度と予め設定された目標温度との差が所定値以上となって冷蔵サーモオン要求が生じているか否かが判断される（ＳＴ１２１）。冷蔵サーモオン要求が生じなければ（ＳＴ１２１にてＮＯ）、冷蔵電磁弁（１１１）が閉じられたままとなり（ＳＴ１２２）、本処理は終了する。
【００６４】
冷蔵サーモオン要求が生じれば（ＳＴ１２１にてＹＥＳ）、Ｒ１信号がオンされているか否かが判断される（ＳＴ１２３）。Ｒ１信号がオンされていなければ（ＳＴ１２３にてＮＯ）、ＳＴ１２２で冷蔵電磁弁（１１１）が閉じられたままとなり、本処理は終了する。また、Ｒ１信号がオンされていれば（ＳＴ１２３にてＹＥＳ）、冷蔵電磁弁（１１１）が開かれ（ＳＴ１２４）、本処理は終了することとなる。
【００６５】
図７に示すように、冷凍ユニット（１２）の制御部（１２０）による冷凍電磁弁開閉制御では、上記の冷蔵電磁弁開閉制御と同じ処理が行われる。つまり、温度センサ（１２４）での庫内温度の検知に基づき冷凍サーモオン要求が生じていないか（ＳＴ１３１にてＮＯ）、又はＲ２信号がオフ状態であれば（ＳＴ１３３にてＮＯ）、冷凍電磁弁（１２１）は閉じられたままとなり（ＳＴ１３２）、本処理は終了する。また、冷凍サーモオン要求が生じており且つＲ２信号がオンされていれば（ＳＴ１３１にてＹＥＳかつＳＴ１３３にてＹＥＳ）、冷凍電磁弁（１２１）が開口され（ＳＴ１３４）、本処理は終了することとなる。
【００６６】
図８に示すように、冷凍ユニット（１２）の制御部（１２０）によるブースタ圧縮機発停制御では、冷凍サーモオン要求が生じていないか（ＳＴ１４１にてＮＯ）、又はＲ２信号がオフ状態であれば（ＳＴ１４３にてＮＯ）、ブースタ圧縮機（１３１）は停止され（ＳＴ１４２）、本処理は終了する。また、冷凍サーモオン要求が生じており且つＲ２信号がオンされていれば（ＳＴ１４１にてＹＥＳかつＳＴ１４３にてＹＥＳ）、ブースタ圧縮機（１３１）が起動され（ＳＴ１４４）、本処理は終了することとなる。
【００６７】
通常の場合、冷凍電磁弁開閉制御によって冷凍電磁弁（１２１）が開口され、冷媒が冷媒回路中を循環しうる状態になると、可変容量圧縮機（１４１）の吸入冷媒圧力が上昇し、サーモオン制御のＳＴ１１３での判断に基づいて可変容量圧縮機（１４１）が起動される。ところが、外気温が低いと吸入冷媒圧力が殆ど上昇しないため、このままでは可変容量圧縮機（１４１）を起動させることができない。
【００６８】
そこで、本冷凍装置（１）では、ブースタ圧縮機発停制御によってブースタ圧縮機（１３１）を起動させるので、可変容量圧縮機（１４１）の吸入冷媒圧力を上昇させることができる。したがって、サーモオン制御のＳＴ１１３での判断に基づき可変容量圧縮機（１４１）を確実に起動させることができる。すなわち、これらの制御により、外気温が低い場合であっても円滑に可変容量圧縮機（１４１）を起動させることができる。
【００６９】
次に、本発明の第２の実施形態である冷凍装置（２）及び第３の実施形態である冷凍装置（３）について説明する。これら冷凍装置（２，３）は、第１の実施形態における冷凍ユニット及びブースタユニットが省略されている。また、これら冷凍装置（２，３）の説明に際しては、第１の実施形態の冷凍装置（１）と同様の機能を有する構成要素については、同様の符号を付し、その詳細な説明を省略する。
【００７０】
図９は冷凍装置（２）の低外気温時の冷蔵サーモオンに関わる動作を示す図である。
【００７１】
冷凍装置（２）では、圧縮機（２４１）のガードタイマが終了すると、室外ユニット（２４）の制御部（２４０）から冷蔵ユニット（２１）の制御部（２１０）に伝送されるＲ１信号がオンされる（動作I）。そして、冷蔵ユニット（２１）の制御部（２１０）では、温度センサ（２１４）で検知された庫内温度の値に基づき冷蔵サーモオン要求が生じていると判断されると（動作II）、電磁弁（２１１）が開口される（動作III）。
【００７２】
ここで、外気温が低い場合、その外気温が温度センサ（２４５）によって検知されて、圧縮機（２４１）を起動させるか否かの判定基準である吸入冷媒圧力のしきい値を低下させる（動作IV）。そして、圧力センサ（２４６）によって検知された吸入冷媒圧力が変更後のしきい値を充足すれば（動作V）、圧縮機（２４１）が起動される(動作VI）。
【００７３】
このような制御について、図１０及び図１１を用いて詳細に説明する。
【００７４】
図１０は、室外ユニット（２４）の制御部（２４０）で実行されるサーモオン制御プログラムの主要部の構成を模式的に示すブロック図である。具体的には、制御部（２４０）では図１１に示すようなサーモオン制御プログラムが実行され、冷蔵ユニット（２１）の制御部（２１０）では図６と同様の冷蔵電磁弁開閉制御プログラムが実行される。
【００７５】
室外ユニット（２４）の制御部（２４０）は、電磁弁開閉許可部（２４０１）と、圧縮機起動条件変更部（２４０２）と、圧縮機起動条件判定部（２４０３）と、圧縮機起動部（２４０４）とを有している。
【００７６】
電磁弁開閉許可部（２４０１）は、圧縮機（２４１）のガードタイマが終了すると、電磁弁（２１１）の開口を許可するためのＲ１信号をオンする。圧縮機起動条件変更部（２４０２）は、温度センサ（２４５）で検知された外気温Ｔａに基いて、圧縮機（２４１）を起動するための吸入冷媒圧力のしきい値を低下させる。圧縮機起動条件判定部（２４０３）は、圧力センサ（２４６）で検知された吸入冷媒圧力ＬＰが所定の範囲の値であるか否かを判定する。圧縮機起動部（２４０４）は、吸入冷媒圧力ＬＰが所定範囲の値であるとき圧縮機（２４１）を起動させる。
【００７７】
冷蔵ユニット（２１）の制御部（２１０）は、第１の実施形態の冷凍装置（１）と同様、冷蔵サーモオン要求があったか否かを判定すると共に、Ｒ１信号がオンされているか否かを判定する冷却要求判定部（２１０１）と、冷蔵サーモオン要求があり且つＲ１信号がオンされていると冷蔵電磁弁（２１１）を開口する電磁弁開閉部（２１０２）とを有している。
【００７８】
ここでは、主に、圧縮機起動条件判定部（２４０３）及び圧縮機起動部（２４０４）が、圧縮機（２４１）の運転及び運転休止を切り替える運転制御手段を構成している。また、圧縮機起動条件変更部（２４０２）は、外気温が所定温度より低下すると、圧縮機（２４１）の運転を開始するか否かの判定基準である吸入冷媒圧力のしきい値を低下させる基準値変更手段を構成している。
【００７９】
したがって、各制御部（２１０，２４０）で実行されるプログラムによれば、外気温が低いために圧縮機（２４１）の吸入冷媒圧力が低下している状況においても、吸入冷媒圧力のしきい値を低下させて圧縮機（２４１）を確実に起動することができる。具体的には、次に示す処理手順が実行される。なお、冷蔵ユニット（２１）の制御部（２１０）にて実行される冷蔵電磁弁開閉制御については図６と同様であるもとして説明を省略する。
【００８０】
図１１に示すように、室外ユニット（２４）の制御部（２４０）によるサーモオン制御では、まず、圧縮機（２４１）のガードタイマが終了しているか否かが判定される（ＳＴ２０１）。ガードタイマが終了していなければ（ＳＴ２０１にてＮＯ）、本処理はそのまま終了し、またガードタイマが終了していれば（ＳＴ２０１にてＹＥＳ）、冷蔵電磁弁（２１１）の開口を許可するＲ１信号がオンされる（ＳＴ２０２）。
【００８１】
続いて、圧縮機（２４１）の吸入冷媒圧力ＬＰが０．４ＭＰａより大きいか否かが判断され（ＳＴ２０３）、吸入冷媒圧力ＬＰが０．４ＭＰａより大きいと（ＳＴ２０３にてＹＥＳ）、圧縮機（２４１）が起動されて（ＳＴ２０４）、本処理は終了する。
【００８２】
吸入冷媒圧力ＬＰが０．４ＭＰａ以下であれば（ＳＴ２０４にてＮＯ）、外気温Ｔａが０℃より低くかつ吸入冷媒圧力ＬＰが０．２５ＭＰａより大きいか否かが判断される（ＳＴ２０５）。この条件を満たすと（ＳＴ２０５にてＹＥＳ）、ＳＴ２０４で圧縮機（２４１）が起動されて本処理は終了する。
【００８３】
ＳＴ２０５の条件が満たされないと、すなわち、外気温Ｔａが０℃以上か又は吸入冷媒圧力ＬＰが０．２５ＭＰａ以下であれば（ＳＴ２０５にてＮＯ）、外気温Ｔａが−５℃より低くかつ吸入冷媒圧力ＬＰが０．２ＭＰａより大きいか否かが判断される（ＳＴ２０６）。この条件を満たすと（ＳＴ２０６にてＹＥＳ）、ＳＴ２０４で圧縮機（２４１）が起動されて本処理は終了する。また、外気温Ｔａが−５℃以上か又は吸入冷媒圧力ＬＰが０．２ＭＰａ以下であれば（ＳＴ２０６にてＮＯ）、圧縮機（２４１）は起動されることなく、本処理は終了することとなる。
【００８４】
これらの処理手順において、ＳＴ２０２でＲ１信号がオンされ、且つ、冷蔵ユニット（２１）側で冷蔵サーモオン要求が生じると、冷蔵電磁弁（２１１）が開口される。ところが、外気温が低い場合、冷蔵電磁弁（２１１）が開口されても圧縮機（２４１）の吸入冷媒圧力は殆ど低下したままである。そこで、外気温が所定の基準温度から０℃、−５℃と低下する量に応じて、圧縮機（２４１）を起動させる吸入冷媒圧力のしきい値を０．４ＭＰａから０．２５ＭＰａ、０．２ＭＰａへと段階的に低下させることにより、圧縮機（２４１）の起動を促す。すなわち、これらの制御によって、外気温が低いときにも円滑に圧縮機（２４１）を起動させることができる。
【００８５】
図１２は第３の実施形態である冷凍装置（３）の低外気温時の冷蔵サーモオンに関わる動作を示す図である。
【００８６】
この冷凍装置（３）では、圧縮機（３４１）のガードタイマが終了すると、室外ユニット（３４）の制御部（３４０）から冷蔵ユニット（３１）の制御部（３１０）へ伝送されるＲ１信号がオンされる（動作I）。そして、冷蔵ユニット（３１）の制御部（３１０）では、温度センサ（３１４）で検知された庫内温度に基いて冷蔵サーモオン要求が生じていると判断されると（動作II）、冷蔵電磁弁（３１１）が開口される（動作III）。
【００８７】
ここで、外気温が低いときには冷媒の飽和圧力が低下しているため、冷蔵電磁弁（３１１）が開口されても、圧縮機（３４１）の吸入冷媒圧力は殆ど低下したままである。そこで、本冷凍装置（３）では、外気温が低いことを検知すると（動作IV）、圧縮機（３４１）のモータへの欠相通電を開始する（動作V）。なお、欠相通電とは、モータを回転させることなくそのコイルを発熱させてヒータとして用いるために、３相交流のうちの１相を欠相させてモータに電流を流すことである。
【００８８】
この欠相通電により、停止している圧縮機（３４１）内の冷媒の温度が上昇して圧縮機（３４１）の吸入口近傍の冷媒の飽和圧力が上昇する。したがって、圧力センサ（３４６）で検知される吸入冷媒圧力が上昇し、所定の圧力条件が充足されると（動作VI）、圧縮機（３４１）が起動されることとなる（動作VII）。
【００８９】
この冷凍装置（３）での制御について、図１３及び図１４を用いて説明する。
【００９０】
図１３は、室外ユニット（３４）の制御部（３４０）で実行されるサーモオン制御プログラムの主要部の構成を模式的に示すブロック図である。室外ユニット（３４）の制御部（３４０）では図１４に示すようなサーモオン制御プログラムが実行され、冷蔵ユニット（３１）の制御部（３１０）では図６と同様の冷蔵電磁弁開閉制御プログラムが実行される。
【００９１】
室外ユニット（３４）の制御部（３４０）は、電磁弁開閉許可部（３４０１）と、欠相通電指示部（３４０２）と、圧縮機起動条件判定部（３４０３）と、圧縮機起動部（３４０４）とを有している。
【００９２】
電磁弁開閉許可部（３４０１）は、圧縮機（３４１）のガードタイマが終了すると、冷蔵電磁弁（３１１）の開口を許可するためのＲ１信号をオンする。欠相通電指示部（３４０２）は、温度センサ（３４５）で検知された外気温Ｔａに基づき欠相通電を指示する。圧縮機起動条件判定部（３４０３）は、圧力センサ（３４６）で検知された吸入冷媒圧力ＬＰが所定範囲の値であるか否かを判定する。圧縮機起動部（３４０４）は、吸入冷媒圧力ＬＰが所定範囲の値であるときに圧縮機（３４１）を起動させる。
【００９３】
冷蔵ユニット（３１）の制御部（３１０）は、第１の実施形態の冷凍装置（１）と同様、冷蔵サーモオン要求があったか否かを判定すると共にＲ１信号がオンされているか否かを判定する冷却要求判定部（３１０１）と、冷蔵サーモオン要求があり且つＲ１信号がオンされていると冷蔵電磁弁（３１１）を開口する電磁弁開閉部（３１０２）とを有している。
【００９４】
ここでは、主に、圧縮機起動条件判定部（３４０３）及び圧縮機起動部（３４０４）が圧縮機（３４１）の運転及び運転休止を切り替える運転制御手段を構成している。また、欠相通電指示部（３４０４）は、圧縮機（３４１）の運転休止時に、外気温が所定の温度より低くかつ冷蔵サーモオン要求があると、吸入冷媒圧力が上昇するように圧縮機（３４１）のモータに欠相通電を行う通電制御手段を構成している。
【００９５】
したがって、各制御部（３１０，３４０）で実行されるプログラムによれば、冷蔵電磁弁（３１１）が開口されても外気温が低いために圧縮機（３４１）の吸入冷媒圧力が低下している状況においても、圧縮機（３４１）のモータに欠相通電させて圧縮機（３４１）吸入冷媒圧力を強制的に上昇させることができる。具体的には、次に示す処理手順が実行される。なお、冷蔵ユニット（３１）の制御部（３１０）にて実行される冷蔵電磁弁開閉制御については図６と同様であるものとして説明を省略する。
【００９６】
図１４に示すように、室外ユニット（３４）の制御部（３４０）によるサーモオン制御では、まず、圧縮機（３４１）のガードタイマが終了しているか否かが判断される（ＳＴ３０１）。ガードタイマが終了していなければ（ＳＴ３０１にてＮＯ）、本処理はそのまま終了し、またガードタイマが終了していれば（ＳＴ３０１にてＹＥＳ）、冷蔵電磁弁（３１１）の開口を許可するＲ１信号がオンされる（ＳＴ３０２）。
【００９７】
続いて、圧縮機（３４１）の吸入冷媒圧力ＬＰが０．２５ＭＰａより大きいか否かが判断される（ＳＴ３０３）。吸入冷媒圧力ＬＰが０．２５ＭＰａより大きければ（ＳＴ３０３にてＹＥＳ）、欠相通電が禁止されて通常の通電が行われるように設定された後（ＳＴ３０４）、圧縮機（３４１）が起動されて（ＳＴ３０５）、本処理は終了する。
【００９８】
吸入冷媒圧力ＬＰが０．２５ＭＰａ以下であれば（ＳＴ３０３にてＮＯ）、外気温Ｔａが−５℃より低くかつ欠相通電時間が５分以上であるか否かが判断される（ＳＴ３０６）。ここで、外気温Ｔａが−５℃以上であるか又は欠相通電時間が５分未満であれば（ＳＴ３０６にてＮＯ）、外気温Ｔａが−５℃より低くかつ圧縮機（３４１）の停止時間が５分以上であるか否かが判断される（ＳＴ３０７）。
【００９９】
ＳＴ３０７において、外気温Ｔａが−５℃より低くかつ圧縮機（３４１）の停止時間が５分以上であれば（ＳＴ３０７にてＹＥＳ）、欠相通電が許可され（ＳＴ３０８）、再びＳＴ３０１（制御スタート）へリターンする。その後、ＳＴ３０１からＳＴ３０３まで移り、再び圧縮機（３４１）の吸入冷媒圧力ＬＰが０．２５ＭＰａより大きいか否かが判断される。ここで、欠相通電により吸入冷媒圧力ＬＰが０．２５ＭＰａより大きくなっていれば（ＳＴ３０３にてＹＥＳ）、上述したように、欠相通電が禁止された後（ＳＴ３０４）、圧縮機（３４１）が起動されて（ＳＴ３０５）、本処理は終了する。
【０１００】
つまり、ＳＴ３０７では、外気温Ｔａが−５℃より低いことに加え、圧縮機（３４１）がサーモオフで停止してから５分経過していれば、該圧縮機（３４１）内の冷媒温度が著しく低下しているとみなし、欠相通電を行うようにしている。
【０１０１】
一方、ＳＴ３０３において、欠相通電を行っているにも拘わらず吸入冷媒圧力ＬＰが０．２５ＭＰａ以下である場合（ＳＴ３０３にてＮＯ）、ＳＴ３０６にて再び外気温Ｔａが−５℃より低くかつ欠相通電時間が５分以上であるか否かが判断される。ここで、この条件を満たすと（ＳＴ３０６にてＹＥＳ）、ＳＴ３０４及びＳＴ３０５と移行して圧縮機（３４１）が起動されて本処理が終了する。逆に、条件を満たさないと（ＳＴ３０６にてＮＯ）、再びＳＴ３０７以降へ移る。つまり、ＳＴ３０６では、外気温が低いために吸入冷媒圧力ＬＰが所定の圧力に達していないが、欠相通電が所定時間行われていれば吸入冷媒圧力ＬＰは多少上昇したとみなして圧縮機（３４１）を起動させるようにしている。
【０１０２】
また、ＳＴ３０７において、外気温が−５℃以上であるか又は圧縮機（３４１）の停止時間が５分未満であれば（ＳＴ３０７にてＮＯ）、欠相通電は許可されることなく、再びＳＴ３０１（制御スタート）へリターンする。その後は、上述と同様に移行する。
【０１０３】
これらの処理手順では、ＳＴ３０２でＲ１信号がオンされ、且つ、冷蔵サーモオン要求が生じた場合、冷蔵電磁弁（３１１）が開口される。ここで、外気温が低いと圧縮機（３４１）の吸入冷媒圧力が低下したままとなるが、圧縮機（３４１）のモータに対して欠相通電を行うことにより、圧縮機（３４１）の吸入冷媒圧力を強制的に上昇させることができ、圧縮機（３４１）を確実に起動することができる。
【０１０４】
なお、上記の実施の形態の冷凍装置では、温度センサ（１４５，２４５，３４５）を用いて直接外気温のみを検知することにより、その低下を検知するようにしている。ところが、本発明は、これに加えて、例えば高圧ドーム型の圧縮機（１４１，２４１，３４１）の吐出口近傍の冷媒温度を検知するようにしてもよい。その場合、例えば吐出口近傍の冷媒温度が２０℃以下のとき外気温が低いと判断すれば、２つの温度センサのうちの一方が破損したとしても、外気温の低下を確実に検知することができる。
【０１０５】
また、上記の各実施形態の冷凍装置（１，２，３）では、冷媒の流量などを冷蔵ユニット（１１，２１，３１）側や冷凍ユニット（１２）側で制御するために、電磁弁と膨張弁とを用いるようにしている。ところが、これに代えて、電子膨張弁などの他の弁を用い、サーモオン時これらの弁を開口するように制御するようにしてもよい。この場合、上述の電磁弁の開口と同様、電子膨張弁の開口によっても圧縮機を起動するのみて回路内で冷媒を循環させることができる状態にすることができる。
【０１０６】
なお、以上の実施形態は、本質的に好ましい例示であって、本発明、その適用物、あるいはその用途の範囲を制限することを意図するものではない。
【産業上の利用可能性】
【０１０７】
以上説明したように、本発明は、吸入冷媒圧力の高低に基づき、その運転及び運転停止が切り替えられる圧縮機を含む冷凍装置について有用である。
【図面の簡単な説明】
【０１０８】
【図１】本発明の第１の実施形態である冷凍装置の概略構成を示す図である。
【図２】冷凍装置の通常時の動作を示す図である。
【図３】本発明の特徴とする冷凍装置の低外気温時の冷凍サーモオンに関わる動作を示す図である。
【図４】室外ユニットの制御部で実行される（室外）サーモオン制御プログラムの主要部の構成を模式的に示すブロック図である。
【図５】室外ユニットの制御部で実行されるサーモオン制御の処理手順を示すフローチャートである。
【図６】冷蔵ユニットの制御部で実行される冷蔵電磁弁開閉制御の処理手順を示すフローチャートである。
【図７】冷凍ユニットの制御部で実行される冷凍電磁変開閉制御の処理手順を示すフローチャートである。
【図８】冷凍ユニットの制御部で実行されるブースタ圧縮機発停制御の処理手順を示すフローチャートである。
【図９】第２の実施形態である冷凍装置の低外気温時の冷蔵サーモオンに関わる動作を示す図である。
【図１０】室外ユニットの制御部で実行される（室外）サーモオン制御プログラムの主要部の構成を模式的に示すブロック図である。
【図１１】室外ユニットの制御部で実行されるサーモオン制御の処理手順を示すフローチャートである。
【図１２】第３の実施形態である冷凍装置の低外気温時の冷蔵サーモオンに関わる動作を示す図である。
【図１３】室外ユニットの制御部で実行される（室外）サーモオン制御プログラムの主要部の構成を模式的に示すブロック図である。
【図１４】室外ユニットの制御部で実行されるサーモオン制御の処理手順を示すフローチャートである。
【図１５】従来用いられている冷凍装置での動作の概略を説明するための冷媒回路図である。
【符号の説明】
【０１０９】
１，２，３  冷凍装置
１１３，２１３，３１３  冷蔵蒸発器
１２３  冷凍蒸発器
１３１  ブースタ圧縮機
１４１，２４１，３４１  可変容量圧縮機
【図１】
2006105580.tif 000003
【図２】
2006105580.tif 000004
【図３】
2006105580.tif 000005
【図４】
2006105580.tif 000006
【図５】
2006105580.tif 000007
【図６】
2006105580.tif 000008
【図７】
2006105580.tif 000009
【図８】
2006105580.tif 000010
【図９】
2006105580.tif 000011
【図１０】
2006105580.tif 000012
【図１１】
2006105580.tif 000013
【図１２】
2006105580.tif 000014
【図１３】
2006105580.tif 000015
【図１４】
2006105580.tif 000016
【図１５】
2006105580.tif 000017